(57)【要約】      （修正有）【課題】セルフロック電磁コイルを有する回路遮断器を提供する。【解決手段】回路遮断器は、上部筐体と下部筐体２とセルフロック電磁コイル１５とセルフロック弾性ゴムシート１６とを含む。上部筐体と下部筐体２は係止を通じて連接し、上部筐体の中央部に起動スイッチを貫通するように連接する。下部筐体２の内部チャンバー上側と下側に各々入力側接触片８と出力側接触片９を設けており、入力側接触片８と出力側接触片９がいずれも三組設けられ、且つ垂直方向に対応し、入力側接触片８と出力側接触片９の間に接続板１０を設ける。接続板１０の中央部は、セラミック絶縁体１１に埋め込まれ、セラミック絶縁体１１が接続板取付台１２上部に固着され、接続板取付台１２の下側にセルフロック回転軸１３を固結し、セルフロック回転軸１３の両端が各々下部筐体２の両側壁に回転可能に連接される。【選択図】図３
0003207367.tif 000002
【実用新案登録請求の範囲】
【請求項１】
上部筐体と下部筐体とセルフロック電磁コイルとセルフロック弾性ゴムシートと、を含むセルフロック機能付きの回路遮断器であって、前記上部筐体と前記下部筐体は係止を通じて連接し、前記上部筐体の中央部に起動スイッチを貫通するように連接し、且つ前記上部筐体の上側と下側に各々引き込み溝と引き出し溝を設けており、前記引き込み溝と前記引き出し溝の内側にいずれも配線孔を設け、
前記下部筐体の内部チャンバーの上側と下側に各々入力側接触片と出力側接触片を設けており、前記入力側接触片と前記出力側接触片の間に接続板を設け、
前記接続板取付台の下側にセルフロック回転軸を固結し、前記セルフロック回転軸の両端が各々前記下部筐体の両側壁に回転可能に連接され、
前記接続板の下部に永久磁石を固結し、前記永久磁石の位置は前記起動スイッチの位置と対応し、前記セルフロック電磁コイルが前記永久磁石の下側に位置し、前記下部筐体の内壁と固結し、且つ前記出力側接触片と電気的に接続し、
前記接続板の上端は前記入力側接触片の下側に位置した構成において、
前記接続板と前記永久磁石の数量は、いずれも三組設けられ、前記接続板が回路Ａ、Ｂ、Ｃの三相に各々接続するために用いられ、前記セルフロック電磁コイルが前記接続板の数量に対応し、且つ前記接続板の下側に均しく位置することを特徴とするセルフロック電磁コイルを有する回路遮断器。
【請求項２】
前記下部筐体の外周縁にマウントアングルを設けており、前記マウントアングルの中央部に取付穴を開設したことを特徴とする請求項１に記載のセルフロック電磁コイルを有する回路遮断器。
【請求項３】
前記接続板の中央部はセラミック絶縁体に埋め込まれ、前記セラミック絶縁体が接続板取付台上部に固着されることを特徴とする請求項１に記載のセルフロック電磁コイルを有する回路遮断器。
【考案の詳細な説明】
【技術分野】
【０００１】
本考案は、回路遮断器分野に関し、特に、セルフロック機能付きの回路遮断器に関する。
【背景技術】
【０００２】
回路遮断器（英名：ｃｉｒｃｕｉｔ−ｂｒｅａｋｅｒ、ｃｉｒｃｕｉｔ  ｂｒｅａｋｅｒ）とは、通常の回路条件で電流を投入、通電及び遮断することができ、かつ回路の短絡のような異常回路条件でも、投入、規定した時間の通電及び遮断をすることができる能力をもつ機械式開閉機器をいう。回路遮断器は、使用範囲によって高圧遮断器と低圧遮断器に分ける。
【０００３】
従来の回路遮断器は、セルフロック機能を有していないため、使用時に回路遮断器自体の焼損、損傷といった現象が現れ、且つセルフロック機能を有していないため、電気機器の損傷も招いてしまい、比較的大きな経済損失が生じていた。従来のセルフロック機能を有していない回路遮断器は、経常的修理と交換を必要とするため不必要な支出が増えていた。
【考案の概要】
【考案が解決しようとする課題】
【０００４】
そこで、本考案は、上記背景技術内で提出された課題を解決するため、セルフロック機能付きの回路遮断器を提供することを目的とする。
【課題を解決するための手段】
【０００５】
上記目的を達成するため、本考案は、上部筐体と下部筐体とセルフロック電磁コイルとセルフロック弾性ゴムシートと、を含むセルフロック機能付きの回路遮断器という技術方案を提供する。前記上部筐体と下部筐体は係止を通じて連接し、前記上部筐体の中央部に起動スイッチを貫通するように連接し、且つ上部筐体の上側と下側に各々引き込み溝と引き出し溝を設けており、前記引き込み溝と引き出し溝の内側にいずれも配線孔を設ける。
【０００６】
前記下部筐体の外周縁にマウントアングルを設けており、前記マウントアングルの中央部に取付穴を開設し、前記下部筐体の内部チャンバーの上側と下側に各々入力側接触片と出力側接触片を設けており、前記入力側接触片と出力側接触片の間に接続板を設ける。
【０００７】
前記接続板の中央部は、セラミック絶縁体に埋め込まれ、前記セラミック絶縁体が接続板取付台上部に固着され、前記接続板取付台の下側にセルフロック回転軸を固結し、前記セルフロック回転軸の両端が各々下部筐体の両側壁に回転可能に連接される。
【０００８】
前記接続板の下部に永久磁石を固結し、前記永久磁石の位置は起動スイッチの位置と対応し、前記セルフロック電磁コイルが永久磁石の下側に位置し、下部筐体の内壁と固結し、且つ出力側接触片と電気的に接続する。
【０００９】
前記接続板の上端は入力側接触片の下側に位置し、且つセルフロック弾性ゴムシートが接続板上端の下側に位置する。
【００１０】
前記入力側接触片と出力側接触片は、いずれも三組設けられ、且つ垂直方向に対応することが好適である。
【００１１】
前記接続板と永久磁石の数量は、いずれも三組設けられ、前記接続板が回路Ａ、Ｂ、Ｃの三相に各々接続するために用いられ、前記セルフロック電磁コイルが接続板の数量に対応し、且つ接続板の下側に均しく位置することが好適である。
【００１２】
前記マウントアングルは、少なくとも四組設けられ、且つ下部筐体の外側に均一に配列されることが好適である。
【考案の効果】
【００１３】
従来技術に比べると、本考案は、入力側接触片と出力側接触片を加えることで、回路導通・遮断のコントロールが便利であるため、回路を遮断する役割を果たすことができ、セルフロック電磁コイルを加えることで、回路に故障ショートが発生した時、セルフロック電磁コイルを導通でき、従って永久磁石と同じ磁極を発生させ、反発し合い、接続板がセルフロック回転軸を中心として回転させ、セルフロック弾性ゴムシートの係着作用を経て回路を遮断し、且つ接続板が反発しないことを保証することで、セルフロックが働く。本考案の構造は簡単で、回路遮断・セルフロック役割を効果的に果たし、回路遮断器自体及び電気機器の安全を保護できる。
【図面の簡単な説明】
【００１４】
【図１】本考案の構造を示す模式図である。
【図２】本考案の下部筐体の上面図である。
【図３】本考案の下部筐体の側面図である。
【考案を実施するための形態】
【００１５】
以下、本考案の実施例内の添付図面を組み合わせて本考案の実施例内の技術方案について詳細に記述する。記述する実施例は、全部の実施例ではなく、ただ本考案の一部の実例だけである。本考案内の実施例に基づいて、当業者が僅かな工夫と努力により試みをすれば容易に到達する前提下で得られた全ての他の実施例は、本考案の保護範囲に属する。
【００１６】
図１乃至図３を参照すると、本考案で提供する技術方案であるセルフロック機能付きの回路遮断器は、上部筐体１と下部筐体２とセルフロック電磁コイル１５とセルフロック弾性ゴムシート１６とを含む。上部筐体１と下部筐体２は係止を通じて連接し、上部筐体１の中央部に起動スイッチ１７を貫通するように連接し、且つ上部筐体１の上側と下側に各々引き込み溝３と引き出し溝４を設けており、引き込み溝３と引き出し溝４の内側にいずれも配線孔５を設け、電線を通すために用いられる。
【００１７】
下部筐体２の外周縁にマウントアングル６を設けており、マウントアングル６は少なくとも四組を設け、且つ下部筐体２の外側に均一に配列され、マウントアングル６の中央部に取付穴７を開設することで、より一層この回路遮断器を安定的に取り付けることができる。下部筐体２の内部チャンバー上側と下側に各々入力側接触片８と出力側接触片９を設けており、入力側接触片８と出力側接触片９がいずれも三組設けられ、且つ垂直方向に対応し、入力側接触片８と出力側接触片９の間に接続板１０を設け、接続板１０と２組の接触片との接続状況の制御を通じて、更に回路の導通・遮断をコントロールし、電気機器の保護役割を果たす。
【００１８】
接続板１０の中央部は、セラミック絶縁体１１に埋め込まれ、セラミック絶縁体１１が接続板取付台１２上部に固着され、接続板取付台１２の下側にセルフロック回転軸１３を固結し、セルフロック回転軸１３の両端が各々下部筐体２の両側壁に回転可能に連接され、故障した時、接続板１０にセルフロック回転軸１３を中心として回転させることで、回路遮断器の焼損を避けることができる。
【００１９】
接続板１０の下部に永久磁石１４を固結し、永久磁石１４の位置は起動スイッチ１７の位置と対応し、セルフロック電磁コイル１５が永久磁石１４の下側に位置し、下部筐体２の内壁と固結し、且つ出力側接触片９と電気的に接続する。接続板１０と永久磁石１４の数量は、いずれも三組設けられ、接続板１０が回路Ａ、Ｂ、Ｃの三相に各々接続するために用いられ、セルフロック電磁コイル１５が接続板１０の数量に対応し、且つ接続板１０の下側に均しく位置し、線路に故障・ショートが発生した時、セルフロック電磁コイル１５が通電することで永久磁石１４と同じ磁極を発生させて反発し合い、接続板１０を入力側接触片８と出力側接触片９の間から切り離させて、回路遮断の保護の役割を果たす。
【００２０】
接続板１０の上端は、入力側接触片８の下側に位置し、且つセルフロック弾性ゴムシート１６が接続板１０上端の下側に位置し、セルフロック弾性ゴムシート１６の移動制限作用において、跳ねられた接続板１０が入力側接触片８と出力側接触片９に二度と接触することがなくなることで、オペレータが起動スイッチ１７を再度押して回路遮断器を導通するまで、セルフロックが働く。
【産業上の利用可能性】
【００２１】
本考案の構造と原理は簡単であるため、生産と使用しやすく、修理に便利で、且つ好ましい回路遮断のセルフロック保護作用を有する。
【００２２】
以上に述べたのは、あくまでも本考案の実施例であって、本考案のさまざまな改良及び修飾が、本考案の原理及び精神とから外れることなく実施できることは、当業者には明白であろう。本考案の範囲は、添付する実用新案登録請求及びその均等物に限定される。
【符号の説明】
【００２３】
１  上部筐体
２  下部筐体
３  引き込み溝
４  引き出し溝
５  配線孔
６  マウントアングル
７  取付穴
８  入力側接触片
９  出力側接触片
１０  接続板
１１  セラミック絶縁体
１２  接続板取付台
１３  セルフロック回転軸
１４  永久磁石
１５  セルフロック電磁コイル
１６  セルフロック弾性ゴムシート
１７  起動スイッチ
【図１】
0003207367.tif 000003
【図２】
0003207367.tif 000004
【図３】
0003207367.tif 000005
【手続補正書】
【提出日】平成28年8月31日(2016.8.31)
【手続補正１】
【補正対象書類名】実用新案登録請求の範囲
【補正対象項目名】全文
【補正方法】変更
【補正の内容】
【実用新案登録請求の範囲】
【請求項１】
上部筐体と下部筐体とセルフロック電磁コイルとセルフロック弾性ゴムシートと、を含むセルフロック機能付きの回路遮断器であって、前記上部筐体と前記下部筐体は係止を通じて連接し、前記上部筐体の中央部に起動スイッチを貫通するように連接し、且つ前記上部筐体の上側と下側に各々引き込み溝と引き出し溝を設けており、前記引き込み溝と前記引き出し溝の内側にいずれも配線孔を設け、
前記下部筐体の内部チャンバーの上側と下側に各々入力側接触片と出力側接触片を設けており、前記入力側接触片と前記出力側接触片の間に接続板を設け、
接続板取付台の下側にセルフロック回転軸を固結し、前記セルフロック回転軸の両端が各々前記下部筐体の両側壁に回転可能に連接され、
前記接続板の下部に永久磁石を固結し、前記永久磁石の位置は前記起動スイッチの位置と対応し、前記セルフロック電磁コイルが前記永久磁石の下側に位置し、前記下部筐体の内壁と固結し、且つ前記出力側接触片と電気的に接続し、
前記接続板の上端は前記入力側接触片の下側に位置した構成において、
前記接続板と前記永久磁石の数量は、いずれも三組設けられ、前記接続板が回路Ａ、Ｂ、Ｃの三相に各々接続するために用いられ、前記セルフロック電磁コイルが前記接続板の数量に対応し、且つ前記接続板の下側に均しく位置することを特徴とするセルフロック電磁コイルを有する回路遮断器。
【請求項２】
前記下部筐体の外周縁にマウントアングルを設けており、前記マウントアングルの中央部に取付穴を開設したことを特徴とする請求項１に記載のセルフロック電磁コイルを有する回路遮断器。
【請求項３】
前記接続板の中央部はセラミック絶縁体に埋め込まれ、前記セラミック絶縁体が接続板取付台上部に固着されることを特徴とする請求項１に記載のセルフロック電磁コイルを有する回路遮断器。